(57)【要約】【課題】回転仕切体の断熱性を高めて省エネ性が高く低騒音とした冷蔵庫の提供。【解決手段】観音開き式の扉のいずれか一方の端部に回転仕切体３５を備え、前記回転仕切体３５は貯蔵室側外郭部材４７と外気側外郭部材４８との間に回転仕切体用発泡断熱材５０を充填して構成するとともに、前記貯蔵室側外郭部材４７の長手方向適所には発泡断熱材を注入する注入孔と空気抜き孔を設け、この注入孔と空気抜き孔を前記貯蔵室側外郭部材４７の貯蔵室側面に装着した緩衝シート５４で塞いだ構成としてある。これにより、回転仕切体はその断熱性が飛躍的に向上し、外気熱の侵入を効果的に抑制することができるとともに、貯蔵室側外郭部材の貯蔵室側面に装着した緩衝シートが回転仕切体回転時の衝突音ならびに振動を抑制する。【選択図】図１３
2020169811.tif 000002
【特許請求の範囲】
【請求項１】
冷蔵庫本体と、前記冷蔵庫本体に設けた冷蔵室および前記冷蔵室を開閉する観音開き式の扉と、前記観音開き式の扉のいずれか一方の端部に設けた回転仕切体とを備え、前記回転仕切体は貯蔵室側外郭部材および外気側外郭部材と、前記貯蔵室側外郭部材の内面に設けた金属製の補強板を有し、前記貯蔵室側外郭部材と前記外気側外郭部材との間に発泡断熱材を充填して構成するとともに、前記貯蔵室側外郭部材に発泡断熱材を注入する注入孔と空気抜き孔、および、前記補強板に前記注入孔に対向する孔と前記空気抜き孔に対向する孔とを設け、前記注入孔と前記空気抜き孔を前記貯蔵室側外郭部材の貯蔵室側面に装着した緩衝シートで塞ぎ、前記補強板は、前記注入孔に対向する孔と前記空気抜き孔に対向する孔とは別に複数の孔を設けた冷蔵庫。
【請求項２】
前記回転仕切体は前記貯蔵室側外郭部材の内面と前記補強板との間に発泡断熱材を入り込ませた請求項１記載の冷蔵庫。
【請求項３】
前記回転仕切体は前記貯蔵室側外郭部材と前記外気側外郭部材を向い合せ状態に嵌合するとともに、前記貯蔵室側外郭部材と前記外気側外郭部材との嵌合部分のいずれか一方は二重壁とし、前記二重壁間の凹状溝部に他方の部材の端部を嵌合させた請求項１または２記載の冷蔵庫。
【請求項４】
前記回転仕切体はその上下部分をヒンジ部材で扉に枢結するとともに、前記ヒンジ部材の軸支部を介して内部に結露防止用ヒータを配線し、かつ、前記ヒンジ部材の軸支部から前記結露防止用ヒータに至る部分を覆う筒状部材を設けた請求項１〜３のいずれか１項記載の冷蔵庫。
【請求項５】
前記回転仕切体は前記外気側外郭部材の内面にマグネットを設け、前記マグネットをテープ貼りしてマグネット表面を前記テープで覆った請求項１〜４のいずれか１項記載の冷蔵庫。
【請求項６】
前記回転仕切体の回転遊端側と扉の内面との間に柔軟な補助シール部材を設けた請求項１〜５のいずれか１項記載の冷蔵庫。
【発明の詳細な説明】
【技術分野】
【０００１】
本発明は高断熱性の回転仕切体を設置した観音開き式の扉を有する冷蔵庫に関するものである。
【背景技術】
【０００２】
一般に冷蔵庫は、扉によって開閉自在な冷蔵室、冷凍室、野菜室等を備えており、そのそれぞれの室は扉によって開閉自在となっているが、大型の冷蔵庫にあっては前記扉のうち冷蔵室の扉は観音開き式の扉となっている。そして、この観音開き式扉にはその左右いずれか一方に扉に扉開閉に連動して回動する回転仕切体を設け、扉閉止時に生じる扉端面同士間の隙間を塞いで気密を確保するようになっている。
【０００３】
ここで、上記回転仕切体は扉同士の間の隙間を介して直接外気と接しており、外気から冷蔵室への熱侵入経路ともなるので、断熱性を持つ構成としてある（例えば、特許文献１参照）。
【０００４】
図１８は上記特許文献１に記載された回転仕切体を示し、この回転仕切体１００は貯蔵室側外郭部材となる仕切板１０１と外気側外郭部材となる仕切枠体１０２との間に発泡スチロールからなる断熱材１０３を設けて構成してある（段落００２８）。
【先行技術文献】
【特許文献】
【０００５】
【特許文献１】特開２０１５−１２９６０５号公報
【発明の概要】
【発明が解決しようとする課題】
【０００６】
上記特許文献１記載の冷蔵庫は、回転仕切体１００の断熱を持つので外気から冷蔵室内に熱が侵入するのを抑制できるが、その断熱性に関しては改善の余地が残るものであった。
【０００７】
また、回転仕切体１００はバネで付勢されているため扉を開きに連携して回動した時、貯蔵室側外郭部材となる仕切板１０１が冷蔵室扉の縦壁内面１０５に接するが、この時接触による衝突音ならびに振動が発生する。その結果騒音ならびに扉振動が気になるといった課題もあった。
【０００８】
本発明はこのような点に鑑みてなしたもので、より高い断熱性を持つ回転仕切体として省エネ性が高く低騒音の冷蔵庫とすることを目的としたものである。
【課題を解決するための手段】
【０００９】
本発明は、上記目的を達成するため、回転仕切体は貯蔵室側外郭部材および外気側外郭部材と、前記貯蔵室側外郭部材の内面に設けた金属製の補強板を有し、前記貯蔵室側外郭部材と前記外気側外郭部材との間に発泡断熱材を充填して構成するとともに、前記貯蔵室側外郭部材に発泡断熱材を注入する注入孔と空気抜き孔、および、前記補強板に前記注入孔に対向する孔と前記空気抜き孔に対向する孔とを設け、前記注入孔と前記空気抜き孔を前記貯蔵室側外郭部材の貯蔵室側面に装着した緩衝シートで塞ぎ、前記補強板は、前記注入孔に対向する孔と前記空気抜き孔に対向する孔とは別に複数の孔を設けた構成としてある。
【００１０】
これにより、回転仕切体はその断熱性が飛躍的に向上し、外気熱の侵入を効果的に抑制することができるとともに、貯蔵室側外郭部材の貯蔵室側面に装着した緩衝シートが回転仕切体回転時の衝突音ならびに振動を抑制する。
【発明の効果】
【００１１】
本発明は、上記構成により、省エネ性が高く低騒音の冷蔵庫とすることができる。
【図面の簡単な説明】
【００１２】
【図１】本発明の実施の形態１における冷蔵庫の斜視図
【図２】同冷蔵庫の縦断面図
【図３】同冷蔵庫の観音開き式扉を開いた状態の斜視図
【図４】同冷蔵庫の観音開き式扉の一つを示す斜視図
【図５】同冷蔵庫の観音開き式扉を開いた状態の平面図
【図６】同冷蔵庫の観音開き式扉の要部を示す拡大断面図
【図７】同冷蔵庫の観音開き式扉の扉開閉扉スイッチ部分を示す拡大断面図
【図８】同冷蔵庫の観音開き式扉の扉開閉扉スイッチ部分を示す斜視図
【図９】同冷蔵庫の観音開き式扉の扉開閉扉スイッチ部分を示す分解斜視図
【図１０】（ａ）同冷蔵庫の観音開き式扉に設けた回転仕切体の外観斜視図、（ｂ）同回転仕切体の背面図
【図１１】同冷蔵庫の観音開き式扉に設けた回転仕切体を示す分解斜視図
【図１２】同冷蔵庫の観音開き式扉に設けた回転仕切体を示す図１０（ｂ）のＡ−Ａ断面図
【図１３】同冷蔵庫の観音開き式扉に設けた回転仕切体を示す図１０（ｂ）のＢ−Ｂ断面図
【図１４】同冷蔵庫の観音開き式扉に設けた回転仕切体を示す図１０（ｂ）のＣ−Ｃ断面図
【図１５】同冷蔵庫の観音開き式扉に設けた回転仕切体を示す図１０（ｂ）のＤ−Ｄ断面図
【図１６】同冷蔵庫の観音開き式扉に設けた回転仕切体を示す図１０（ｂ）のＥ−Ｅ断面図
【図１７】（ａ）同冷蔵庫の観音開き式扉に設けた回転仕切体部分の他の例を示す断面図、（ｂ）同さらに他の例を示す断面図
【図１８】従来の冷蔵庫の観音開き式扉の要部を示す断面図
【発明を実施するための形態】
【００１３】
第１の発明は、冷蔵庫本体と、前記冷蔵庫本体に設けた冷蔵室およびこの冷蔵室を開閉する観音開き式の扉と、前記観音開き式の扉のいずれか一方の端部に設けた回転仕切体とを備え、前記回転仕切体は貯蔵室側外郭部材と外気側外郭部材との間に発泡断熱材を充填して構成するとともに、前記貯蔵室側外郭部材の長手方向適所には発泡断熱材を注入する注入孔と空気抜き孔を設け、この注入孔と空気抜き孔を前記貯蔵室側外郭部材の貯蔵室側面に装着した緩衝シートで塞いだ構成としてある。
【００１４】
これにより、回転仕切体はその断熱性が飛躍的に向上し、外気熱の侵入を効果的に抑制することができるとともに、貯蔵室側外郭部材の貯蔵室側面に装着した緩衝シートが回転仕切体回転時の衝突音ならびに振動を抑制する。
【００１５】
第２の発明は、第１の発明において、前記回転仕切体は貯蔵室側外郭部材と外気側外郭部材を向い合せ状態に嵌合するとともに、前記貯蔵室側外郭部材と外気側外郭部材との嵌合部分のいずれか一方は二重壁とし、この二重壁間の凹状溝部に他方の部材の端部を嵌合させた構成としてある。
【００１６】
これにより、貯蔵室側外郭部材と外気側外郭部材との嵌合部分に形成される内外間に亘る沿面寸法が長くなり、発泡断熱材の外部への漏出を確実に防止することができる。したがって、発泡断熱材を充填することによって懸念される品質低下を防止しつつ断熱性を高めることができ、品質及び省エネ性の高い冷蔵庫とすることができる。
【００１７】
第３の発明は、第１または第２発明において、前記回転仕切体はその上下部分をヒンジ部材で扉に枢結するとともに、当該ヒンジ部材の軸支部を介して内部に結露防止用ヒータを配線し、かつ、前記ヒンジ部材の軸支部から前記結露防止用ヒータに至る部分を覆う筒状部材を設けた構成としてある。
【００１８】
これにより、回転仕切体内部に充填した発砲断熱材がヒンジ部材の軸支部から漏出するのを防止できるとともにヒンジ部材の軸支部を通した結露防止用ヒータ線のねじれを防止でき、発泡断熱材漏れがなくヒータ断線もない品質の高いものとすることができる。
【００１９】
第４の発明は、第１〜第３の発明において、前記回転仕切体は外気側外郭部材の内面にマグネットを設け、このマグネットをテープ貼りしてマグネット表面を前記テープで覆った構成としてある。
【００２０】
これにより、外気側外郭部材と磁石との間に発泡断熱材が入り込むのを防止でき、発泡断熱材の入り込みによる磁力低下を防止でき、扉閉止時における密閉性を安定して得ることができて省エネ性を更に高めることができる。
【００２１】
第５の発明は、第１〜第４の発明において、前記回転仕切体は貯蔵室側外郭部材の内面に金属製の補強板を設けた構成としてある。
【００２２】
これにより、回転仕切体は発泡断熱材の熱収縮による変形を防止でき、扉閉止時における密閉性をより高いものとして省エネ性を更に向上させることができる。
【００２３】
第６の発明は、第５の発明において、前記仕切板は貯蔵室側外郭部材の内面と金属製の補強板との間に発泡断熱材を入り込ませた構成としてある。
【００２４】
これにより、冷蔵室内の低温が金属製の補強板に伝導して外気へと放散され確率を低減でき、その分断熱性を高めて更に省エネ性を高めることができる。
【００２５】
第７の発明は、第５または第６の発明において、前記補強板は貯蔵室側外郭部材に設けた発泡断熱材注入用の注入孔と空気抜き孔と対向する孔を含めその長手方向に複数の孔を設けた構成としてある。
【００２６】
これにより、貯蔵室側外郭部材に設けた注入孔から注入する発泡断熱材の充填性が向上し断熱性が向上するとともに、補強板の重量が軽くなって仕切板の軽量化を図ることができ、仕切板の動作安定化と慣性力軽減による衝突音低減等も促進することができる。
【００２７】
第８の発明は、第１〜第７の発明において、前記回転仕切体の回転遊端側と扉の内面との間に柔軟な補助シール部材を設けた構成としてある。
【００２８】
これにより、回転仕切体の回転軌跡のために生じる回転仕切体遊端と扉縦壁内面との間に生じる隙間を補助シール部材によって閉塞することができ、回転仕切体遊端と扉縦壁内面との間の隙間から外気が侵入するのをより確実に防止でき、更に省エネ性を高めることができる。
【００２９】
以下、本発明の実施の形態について、図面を参照しながら説明する。なお、この実施の形態によって本発明が限定されるものではない。
【００３０】
（実施の形態１）
図１〜図５は冷蔵庫の全体構成を説明する図、図６〜図９は冷蔵室の観音開き式扉の扉開閉検出構成を説明する図、図１０〜図１７は観音開き式扉に設けた回転仕切体の構成を説明する図である。
【００３１】
（１．冷蔵庫の全体構成）
まず図１〜図４を用いて冷蔵庫の全体構成を説明すると、本実施の形態に係る冷蔵庫は、前方を開口した冷蔵庫本体１を備えている。この冷蔵庫本体１は金属製の外箱２と、硬質樹脂製の内箱３と、前記外箱２および内箱３の間に発泡充填した発泡断熱材４とで構成してあり、仕切板５、６等によって複数の貯蔵室が仕切形成してある。また、前記冷蔵庫本体１の各貯蔵室は冷蔵庫本体１と同様の断熱構成を採用した観音開き式扉７と引出し式の扉８、９、１０、１１で開閉自在としてある。
【００３２】
冷蔵庫本体１内に形成した貯蔵室は、最上部の冷蔵室１４と、冷蔵室１４の下に設けた温度帯切り替え可能な切替室１５及びその横に設けた製氷室１６と、切替室１５及び製氷室１６と最下部の野菜室１７との間に設けた冷凍室１８で構成している。
【００３３】
また、冷蔵庫本体１の冷凍室１８背面には冷却室１９が設けてあり、この冷却室１９には冷気を生成する冷却器２０と、冷気を前記各室に供給する冷却ファン２１とが設置してある。そして更に冷却器２０の下方にはガラス管ヒータ等で構成した除霜手段２２（以下、ガラス管ヒータと称す）が設けてある。
【００３４】
冷却器２０は、圧縮機２３と、コンデンサ（図示せず）と、放熱用の放熱パイプ（図示せず）と、キャピラリーチューブ（図示せず）とを環状に接続して冷凍サイクルを構成しており、圧縮機２３によって圧縮された冷媒の循環によって冷却を行う。
【００３５】
また、冷却ファン２１は冷却器２０の上方に設けてあり、その下流側に連なる冷蔵室ダクト２４、冷凍室ダクト２５、野菜室ダクト（図示せず）を介して冷蔵室１４、冷凍室１８、野菜室１７等に冷気を供給し、これら各室を冷却するようになっている。
【００３６】
冷蔵室１４は、冷蔵庫本体１の最上部に位置していて、図３に示すように複数の棚板２７を着脱自在に設けて冷蔵室内空間を上下複数の空間に仕切るとともに、図２に示すように下部に二つの低温貯蔵室、例えばパーシャルフリーザ室２８とチルド室２９が上下二段に重ねて設けてある。
【００３７】
なお、上記冷蔵室１４は、凍らない程度の１〜５℃に冷却され、冷蔵室内のパーシャルフリーザ室２８は微凍結保存に適した−２〜−３℃、チルド室２９は冷蔵室１４よりも低くパーシャルフリーザ室２８よりは若干高めの１℃前後の温度に冷却されるようになっている。
【００３８】
上記冷蔵室１４の扉は、第一扉７１と第二扉７２からなる観音開き式扉７はとなっていて、それぞれ冷蔵庫本体１に扉ヒンジ１３で回動自在に軸支してあり、例えば図４に示すように、樹脂製の扉内枠３１、この扉内枠３１同様樹脂で構成した扉外周枠３２、扉表面を構成するガラス板等の透明外装板３３（図４参照）で囲った空間部分に硬質発泡ウレタン等の扉用発泡断熱材３４を充填して構成してある。
【００３９】
そして、上記観音開き式扉７の一方、この例では幅の狭い第一扉７１の遊端側に、扉閉止時に生じる第一扉７１及び第二扉７の扉端面同士間の隙間を閉塞する短冊状の細長い回転仕切体３５が設けてあり、もう一方の幅広い第二扉７２には図１に示すようにその下部に冷蔵庫の運転状態等を表示する表示部３６が設けてある。そして更に、上記観音開き式扉７には図５に示すようにその第一扉７１と第二扉７２を利用して扉開閉を検出する扉スイッチ３７が図１に示すように扉上部に組み込んである。
【００４０】
（２．冷蔵室扉の扉スイッチ構成）
次に、上記観音開き式扉７の開閉を検出する扉スイッチ構成について図６〜図９を用いて説明する。
【００４１】
図６〜図９において、上記観音開き式扉７の開閉を検出する扉スイッチ３７はリードスイッチで構成してあり、そのリードスイッチのマグネット３８は回転仕切体３５を設けた第一扉７１の扉端面に設け、ホールＩＣ３９は前記表示部３６を設けた側の扉、すなわち第二扉７２の扉端面に設けてある。
【００４２】
マグネット３８は、図９に示すように、第一扉７１の第一扉外周枠３２ａ内面に設けた第一扉補強板４０ａに第一開口４１ａを設けて当該第一開口４１ａ部分に配置し、その背面側を樹脂製の第一スイッチ保護カバー４２ａで覆ってある。そして、上記マグネット３８は第一扉外周枠３２ａの内面に設けた係止リブ４３（図７参照）に係合させて第一扉外周枠３２ａの内面に密着させてある。
【００４３】
また、ホールＩＣ３９は、図９に示すように第二扉７２の第二扉外周枠３２ｂ内面に設けた第二扉補強板４０ｂに第二開口４１ｂを設けて当該第二開口４１ｂ部分にビス止めし、その内側を樹脂製の第二スイッチ保護カバー４２ｂで覆ってある。そして、上記第二扉外周枠３２ｂのホールＩＣ３９と対向する部分にもホールＩＣ用開口４４を設け、着脱自在な樹脂製の蓋板４５で覆ってホールＩＣ３９の交換メンテナンス等が可能なようにしてある。
【００４４】
なお、上記扉スイッチ３７はこの実施の形態では観音開き式扉７の上部に設けているが、表示部３６近傍となる扉下部に設けてもよい。
【００４５】
（３．回転仕切体の構成）
次に、上記観音開き式扉７に設けた回転仕切体構成について説明する。
【００４６】
この回転仕切体３５は既述したように観音開き式扉７の第一扉７１に設けてある。具体的には図６に示すように回転仕切体３５の上下部分をヒンジ部材４６によって第一扉７１の第一扉内枠３１ａ内面に軸支してあり、第一扉７１の開閉に連動して回転動作するように構成してある。
【００４７】
上記回転仕切体３５は、図１３等に示すように、貯蔵室側外郭部材４７の開口部分と外気側外郭部材４８の開口部分とを嵌合させて中空状に構成し、その中空状部の上下両端部分に発泡スチロールからなる断熱材４９（図１１参照）を組み込むとともに、残りの大部分には発泡ウレタン等の回転仕切体用発泡断熱材５０を充填して構成してある。
【００４８】
上記貯蔵室側外郭部材４７と外気側外郭部材４８は何れも熱伝導性の低い樹脂で形成してあり、そのいずれか一方、この例では貯蔵室側外郭部材４７の開口端縁は、内壁４７ａおよび外壁４７ｂからなる二重壁とし、この二重壁の内壁４７ａおよび外壁４７ｂ間の凹状溝部５１に他方の外気側外郭部材４８の開口縁部４８ａを嵌合させて貯蔵室側外郭部材４７と外気側外郭部材４８とを結合してある。なお、内壁４７ａの高さは外壁４７ｂより高く設定されている。
【００４９】
また、上記貯蔵室側外郭部材４７には図１１に示すようにその長手方向略中央部に発泡ウレタンを注入する注入孔５２と長手方向両端付近に空気抜き孔５３が形成してある。そして、図１４に示すように上記貯蔵室側外郭部材４７の貯蔵室側面に上記注入孔５２と空気抜き孔５３を閉塞する如く弾力性を有する緩衝シート５４が貼り付けてある。
【００５０】
なお、貯蔵室側外郭部材４７に形成された注入孔５２は、本実施の形態では貯蔵室側外郭部材４７の平面部と同一面に所定の径の孔を形成したもので説明したが、貯蔵室側外郭部材４７の平面部から内部空間側に凹んだ段差部を備え、その段差部に注入孔５２を形成してもよい。
【００５１】
この場合、発泡ウレタン注入後の注入孔５２近傍の残留する発泡ウレタンを内部空間側に凹んだ段差部で吸収することができ、空気抜き孔５３を閉塞する緩衝シート５４を確実に平面状に貼り付けることができる。
【００５２】
なお、同様に空気抜き孔５３も貯蔵室側外郭部材４７の平面部から内部空間側に凹んだ段差部を備え、その段差部に空気抜き孔５３を形成してもよい。
【００５３】
また、上記貯蔵室側外郭部材４７の内面には金属製の回転仕切体補強板５５が設けてあり、図１３等に示すように爪５６によって貯蔵室側外郭部材４７の内面に固定してある。この回転仕切体補強板５５はその長手方向全域に渡って多数の孔５７が分散形成してあり、その孔５７の幾つかは前記貯蔵室側外郭部材４７に設けた注入孔５２空気抜き孔５３に対向させてある。
【００５４】
更に、上記回転仕切体補強板５５と貯蔵室側外郭部材４７の内面との間にはごくわずかな隙間が設けてあってこの隙間に回転仕切体用発泡断熱材５０の一部が入り込み層をなしている。
【００５５】
また、前記外気側外郭部材４８の内面には前記第一、第二扉７１、７２内周面のガスケット７１ａ、７２ａ（図６参照）と対向する回転仕切体マグネット５８とともに結露防止用ヒータ５９が設けてある。
【００５６】
上記結露防止用ヒータ５９は図１２に示すように上側のヒンジ部材４６の軸支部４６ａ内を通して回転仕切体３５内に配線してあり、その軸支部４６ａには上側の発泡スチロールからなる断熱材４９の途中付近までの長さの筒状部材６０を嵌装し、この筒状部材６０内を通して前記発泡断熱材充填域へと配線してある。
【００５７】
そして、上記結露防止用ヒータ５９および回転仕切体マグネット５８は回転仕切体用発泡断熱材５０を充填した区域で外気側外郭部材４８の内面にテープ６１（図１３等参照）により貼り付け固定してあり、その外面の全域は前記テープ６１によって覆ってある。
【００５８】
なお、回転仕切体３５の上端部はキャップ６２（図１０参照）で覆うとともに、下部は貯蔵室側外郭部材４７の開口下辺と外気側外郭部材４８の開口下辺との嵌合によって閉塞してある。
【００５９】
また、図１７（ａ）（ｂ）に示すように前記回転仕切体３５の回転遊端側と対向する第二扉７２の第二扉内枠３１ｂの内面もしくは縦壁のいずれかに補助シール部材６３が設けてある。
【００６０】
以上のように構成した冷蔵庫について、次にその作用効果について説明する。
【００６１】
この冷蔵庫は、観音開き式扉７のいずれか一方が開閉されると扉スイッチ３７がこれを検出するが、この扉スイッチ３７はリードスイッチで構成していて、そのマグネット３８とホールＩＣ３９は第一扉７１及び第二扉７２の互い対向する扉端面に設けてあるから、第一扉７１と第二扉７２との間で扉開閉検出を行うことになる。
【００６２】
すなわち、第一扉７１あるいは第二扉７２の扉端面が他方の扉に対して動くことによって扉の開閉を検出する。したがって、従来のように冷蔵庫本体１に対して第一扉７１あるいは第二扉７２それぞれの動きを検出するもののように二つの扉スイッチを必要とせず、一つの扉スイッチ３７で済む。よって扉スイッチ３７の配線が容易になるとともに、コストダウンも図ることができる。
【００６３】
また、上記扉スイッチ３７のマグネット３８とホールＩＣ３９は、図７の矢印Ｘで示すように、それぞれの軸心βがずれる方向に離反および接近するので、従来の冷蔵庫本体と扉に対向させて設けてその軸心が略一致したまま離反および接近するものに比べ鋭敏に扉開閉を検出することができる。
【００６４】
したがって、マグネット３８は従来に比べ若干磁力の弱いものを使用してコストダウンを図っても、或いは製造時にマグネット３８やホールＩＣ３９の位置に若干の位置ずれが生じていても、精度の高い扉開閉検出が可能となる。
【００６５】
さらに、上記扉スイッチ３７は機械式スイッチのようなスイッチ用突起がないので、外観を損ねることもない。
【００６６】
しかも、この扉スイッチ３７はホールＩＣ３９を覆う如くメンテナンス用の蓋板４５を設けていても、このホールＩＣ３９を覆う蓋板４５は扉端面に設けてあって、この扉端面は扉を開いたとき、冷蔵庫本体１の冷蔵室開口前面のように目につきやすい場所ではないので、蓋板４５が目につくようなことがなく、美観が向上する。
【００６７】
また、上記扉スイッチ３７は、回転仕切体３５を設けてある第一扉７１側にマグネット３８を、第二扉７２側にホールＩＣ３９を設けてあるから、回転仕切体３５に設けてある結露防止用ヒータ５９への１００Ｖ配線とホールＩＣ３９へのＤＣ配線を別々の扉に明確に分けることができる。
【００６８】
したがって、配線作業を単純化でき、組立作業時に１００Ｖ配線とＤＣ配線の配線間違いを起こすようなことを防止できる。
【００６９】
また、第二扉７２側には表示部３６が設けてあるので、ホールＩＣ３９へのＤＣ配線と表示部３６へのＤＣ配線を纏めて扉ヒンジ部１２から冷蔵庫本体１側の制御部（図示せず）へと配線することができ、作業性を更に向上させることができる。
【００７０】
このように、この扉スイッチ３７は１００Ｖ配線が施されている第一扉７１とＤＣ配線が施されている第二扉７２の特質を利用してマグネット３８とホールＩＣ３９を設けているので、信頼性と生産性を同時に向上させることができる。
【００７１】
また、上記扉スイッチ３７を設けた観音開き式扉７のそれぞれの扉端面には金属製の第一扉補強板４０ａ、第二扉補強板４０ｂを設けるとともに、前記第一扉補強板４０ａ、第二扉補強板４０ｂには第一開口４１ａ、第二開口４１ｂを設けてマグネット３８、ホールＩＣ３９を配置しているので、扉端面の強度を向上しつつマグネット３８の磁力低下やホールＩＣ３９の感度低下による検出精度の低下を防止できる。したがって、高い扉開閉検出精度を維持することができる。
【００７２】
さらに、前記扉スイッチ３７を設けた観音開き式扉７はウレタン等の扉用発泡断熱材３４を充填するとともに、扉スイッチ３７のマグネット３８およびホールＩＣ３９は樹脂製の第一、第二スイッチ保護カバー４２ａ、４２ｂによって覆っているので、扉用発泡断熱材３４が扉スイッチ３７のマグネット３８およびホールＩＣ３９部分に流れ込むことも防止できる。したがって扉用発泡断熱材３４が扉スイッチ３７のマグネット３８あるいはホールＩＣ３９部分に入り込むことによって生じる検出感度の低下を防止でき、高い扉開閉検出性能を維持しつつ扉強度と断熱性を向上させることができる。
【００７３】
特に扉強度に関しては、この実施の形態では観音開き式扉７の第一扉７１及び第二扉７２に扉用発泡断熱材３４を充填するとともに金属製の第一、第二扉補強板４０ａ、４０ｂを設けているので、この第一、第二扉補強板４０ａ、４０ｂによる補強効果と扉用発泡断熱材３４による補強効果が合わさって扉強度を大きく向上させることができ、高い剛性を必要とする大型冷蔵庫にも対応することができる。
【００７４】
また、この実施の形態では上記扉スイッチ３７は観音開き式扉７の上部に設けてあるから、冷蔵庫本体１から扉ヒンジ部１２を介してホールＩＣ３９へと引き回す配線を短いものとすることができ、配線短縮化によるコストダウンを図ることができる。また、使用者が濡れ手で扉端面に触れその水が扉端面を流下するようなことがあっても、扉下部に設けた場合のようなホールＩＣ３９部分への水侵入懸念もなく、信頼性の高いものとすることができる。
【００７５】
なお、上記扉スイッチ３７は観音開き式扉７の下部に設けてもよく、この場合は表示部３６を設けた第二扉７２の下部にホールＩＣ３９を設け、十分な水侵入防止対策を施す。
【００７６】
これにより、ホールＩＣ３９と表示部３６とを結ぶ配線を短いものとすることができ、配線の短縮化によるコストダウンを図り、同時に作業性を向上させることができる。
【００７７】
以上のように、この冷蔵庫は、美観を損ねたりコストアップを招いたりすることなく精度の高い扉開閉検出ができる。
【００７８】
また、本実施の形態の冷蔵庫は、次のような作用効果をも有する。
【００７９】
すなわち、この冷蔵庫は、観音開き式扉７に設けた回転仕切体３５の断熱性が高く、回転仕切体回転時の衝突音ならびに振動も少ないものとすることができる。
【００８０】
詳述すると、この冷蔵庫の観音開き式扉７の第一扉７１に軸支した回転仕切体３５は、貯蔵室側外郭部材４７と外気側外郭部材４８との間に回転仕切体用発泡断熱材を充填して構成してある。したがって、従来の発泡スチロールを断熱材としているものに比べその断熱性は格段に高いものとなる。よって、回転仕切体３５を介して冷蔵室１４内に侵入しようとする外気熱を強力かつ効果的に抑制することができる。
【００８１】
また、上記回転仕切体３５はその貯蔵室側外郭部材４７の貯蔵室側面に緩衝シート５４を装着してあるので、回転仕切体３５が第一扉７１の内面側に回転して第一扉内枠３１ａの縦壁面に衝突してもその衝突音や振動を抑制することができる。したがって、第一扉７１の開成に連動して回転仕切体３５が回転しても衝突音や振動を感じにくい冷蔵庫とすることができる。
【００８２】
また、上記緩衝シート５４は貯蔵室側外郭部材４７の貯蔵室側面の長手方向に亘って設けてあるので、この注入孔５２や空気抜き孔５３を覆い隠し、貯蔵室側外郭部材４７の貯蔵室側面をすっきりとしたものにすることができる。
【００８３】
また、上記回転仕切体３５は上下に細長いこともあって回転仕切体用発泡断熱材を充填した際、その発泡圧によって貯蔵室側外郭部材４７と外気側外郭部材４８とが嵌合している部分から回転仕切体用発泡断熱材が漏出しやすい。
【００８４】
しかしながら、この回転仕切体３５は、貯蔵室側外郭部材４７の開口端縁は、内壁４７ａと外壁４７ｂからなる二重壁とし、この二重壁の内壁４７ａと外壁４７ｂ間の凹状溝部５１に他方の外気側外郭部材４８の開口縁部４８ａを嵌合させてあるから、回転仕切体３５内部から外部までの沿面距離、換言すると回転仕切体用発泡断熱材５０が漏出するために通る距離が極めて長いものとなる。すなわち、回転仕切体用発泡断熱材５０が漏出していく距離は、貯蔵室側外郭部材４７の内壁４７ａ外面と貯蔵室側外郭部材４７の開口縁部４８ａ内面との接触部分の距離に貯蔵室側外郭部材４７の開口縁部４８ａ外面と貯蔵室側外郭部材４７の外壁４７ｂ内面との接触部分の距離が合わさった長い距離となる。そして、上記貯蔵室側外郭部材４７と外気側外郭部材４８のいずれかに撓み変形等があっても、前記内壁４７ａおよび外壁４７ｂ間の凹状溝部５１と外気側外郭部材４８の開口縁部４８ａとの嵌合によって変形が矯正され隙間のない状態となる。
【００８５】
したがって、上記貯蔵室側外郭部材４７と貯蔵室側外郭部材４７の嵌め合い嵌合部分から回転仕切体用発泡断熱材５０が漏出するのを確実に防止できる。これによって、冷蔵庫の品質を大きく向上させることができる。すなわち、上記回転仕切体３５の貯蔵室側外郭部材４７と貯蔵室側外郭部材４７の嵌め合い嵌合部分は使用者の目の触れやすい部分であるから、発泡断熱材がはみ出していると使用者が不信感を持つが、この回転仕切体３５の構成によれば上記発泡断熱材のはみ出しを防止でき、その結果、使用者に対する不信感を払拭でき、冷蔵庫の品質向上に大きく貢献するのである。すなわち、回転仕切体用発泡断熱材５０を充填することによって懸念される品質低下を防止し、回転仕切体３５の断熱性を高めつつ品質も高い冷蔵庫とすることができる。
【００８６】
また、上記回転仕切体３５はその上下部分をヒンジ部材４６で第一扉７１に枢結するとともに、当該ヒンジ部材４６の設置部分には発泡スチロールからなる断熱材４９を設けてあるので、回転仕切体用発泡断熱材がヒンジ部材４６の軸支部に入り込むのを防止することができる。これにより、回転仕切体３５の回転動作を安定したものとすることができる。
【００８７】
特にこの実施の形態では上記筒状部材６０は上記ヒンジ部材４６の軸支部４６ａから結露防止用ヒータ５９に至る部分までを覆っているので、発泡スチロールからなる断熱材４９外周のわずかな隙間を通って回転仕切体用発泡断熱材５０がヒンジ部材４６側部分に入り込むことがあったとしても、前記筒状部材６０によって軸支部４６ａまでの入り込みを確実に防止することができる。したがって、回転仕切体３５の回転動作を確実なものとすることができる。
【００８８】
また、上記筒状部材６０はその内部に前記ヒンジ部材４６の軸支部を介して回転仕切体３５内に引き込んだ結露防止用ヒータ５９を通してあるから、当該結露防止用ヒータ５９は回転仕切体用発泡断熱材の充填区域では回転仕切体３５の回転に伴って必要となる伸縮等の動きはできないものの、筒状部材６０内ではその伸縮等の動きを自由に行うことができる。したがって、回転仕切体用発泡断熱材５０を充填していても結露防止用ヒータ５９のねじれ等による断線を引き起こすようなことを防止できる。
【００８９】
さらに、上記回転仕切体３５は回転仕切体用発泡断熱材５０を充填した区域では外気側外郭部材４８の内面に回転仕切体マグネット５８を貼り付けてその表面をテープ６１で覆っているので、回転仕切体用発泡断熱材５０が外気側外郭部材４８と回転仕切体マグネット５８との間に入り込むのを防止でき、発泡断熱材の入り込みによる磁力低下を防止できる。これによって、扉閉止時、回転仕切体３５は第一扉７１および第二扉７２の内面に設けてあるガスケット７１ａ、７１ｂの磁石に確実に吸着するようになる。その結果、回転仕切体３５による冷蔵室１４の密閉を確実かつ良好なものとすることができ、外気熱の侵入をより効果的に抑制して省エネ性を高めることができる。
【００９０】
また、回転仕切体３５は貯蔵室側外郭部材４７の内面に金属製の回転仕切体補強板５５を設けた構成としてあるから、回転仕切体用発泡断熱材５０の熱収縮によって生じる変形を防止でき、扉閉止時における密閉性をより高いものとして省エネ性を更に向上させることができる。
【００９１】
さらにまた、前記回転仕切体３５は貯蔵室側外郭部材４７の内面と金属製の回転仕切体補強板５５との間に回転仕切体用発泡断熱材５０が入り込んでいて、金属製の回転仕切体補強板５５と貯蔵室側外郭部材４７の内面との間に回転仕切体用発泡断熱材５０の薄い断熱層を形成した形となっている。
【００９２】
これにより、冷蔵室内の低温が貯蔵室側外郭部材４７を介して直接金属製の回転仕切体補強板５５に伝導し外気へと放散されるのを防止できるとともに、結露防止用ヒータ５９の熱の影響を受けて若干温度上昇する回転仕切体補強板５５の熱が貯蔵室側外郭部材４７を介して冷蔵室１４内へと侵入するのを防止できる。したがって、回転仕切体３５による断熱効果は上記両作用によって強力なものとなり、その分更に省エネ性を高めることができる。
【００９３】
そして、上記回転仕切体補強板５５は貯蔵室側外郭部材４７に設けた回転仕切体用発泡断熱材の注入孔５２と空気抜き孔５３に対向する孔を含めその長手方向に複数の孔５７を形成してあるから、貯蔵室側外郭部材４７に設けた注入孔５２から注入する回転仕切体用発泡断熱材５０の注入を可能としつつ回転仕切体補強板５５の軽量化を図ることができる。その結果、回転仕切体３５自体も軽量化でき、回転仕切体３５の回転動作が安定するとともに、回転時に生じる回転仕切体３５の慣性力が軽減するので衝突音等もより少ないものになる。
【００９４】
また、上記回転仕切体３５は方形状としてあるので、その左右全域に渡って良好な断熱効果を発揮するようになり、断熱効果を高めることができる。
【００９５】
しかも、図１７（ａ）（ｂ）に示すように回転仕切体３５の回転遊端側と第二扉７２の内面縦壁との間に柔軟な補助シール部材６３を設けておくことによって、回転仕切体３５の回転軌跡によって生じる隙間Ｔを前記補助シール部材６３によって閉塞することができる。これにより、回転仕切体遊端と扉縦壁内面との間の隙間から外気が侵入するのをより確実に防止することができ、更に省エネ性を高めることができる。
【００９６】
なお、本実施の形態では、回転仕切体内部にマグネット５８を埋設したもので説明したが、これは、貯蔵室側外郭部材４７および外気側外郭部材４８を熱伝導性の低い樹脂で形成することを前提とした為である。すなわち、扉側のマグネットを備えたガスケットが回転仕切体に確実に吸着し、シール性を確保するために回転仕切体内部にマグネット５８を埋設したものであるが、これに限定されることなく、回転仕切体内部にマグネット５８を用いずに着磁性のある鉄板を貯蔵室側外郭部材としたものでもよい。
【００９７】
この場合、回転仕切体内部のマグネット配置空間部分を発泡断熱材で充填することができ、断熱性の向上と回転仕切体の強度を高めることができる。さらにこの場合、貯蔵室側外郭部材に鉄板を用いることで貯蔵室側外郭部材４７に設けた補強板５５も不要とすることもでき、断熱性と強度とコストの最適バランスを図ることができる。
【００９８】
また、本実施の形態では、回転仕切体３５の上下端部のヒンジ部材近傍には発泡スチロールからなる断熱材４９を設けたもので説明したが、これに限定されるものではなく、例えば、回転仕切体３５の上下端部のヒンジ部材近傍に別体で形成したシール部材、あるいは、上下端部のキャップにリブ等で一体に形成したシール部材を配置し、回転仕切体３５の上下端部のヒンジ部材近傍も含めて回転仕切体３５内部のほぼ全域に発泡ウレタンを充填する仕様としてもよい。
【００９９】
この場合、発泡ウレタンの充填率向上による断熱性能向上、強度向上、発泡スチロールからなる断熱材４９の不要によるコストダウン等の効果を得ることができる。
【０１００】
以上、本発明に係る冷蔵庫について、上記実施の形態を用いて説明したが、本発明は、これに限定されるものではない。すなわち、今回開示された実施の形態はすべての点で例示であって制限的なものではないと考えられるべきである。つまり、本発明の範囲は上記した説明ではなくて特許請求の範囲によって示され、特許請求の範囲と均等の意味及び範囲内でのすべての変更が含まれることが意図される。
【産業上の利用可能性】
【０１０１】
本発明は、回転仕切体の断熱性が高まり、しかも回転仕切体回転時の衝突音ならびに振動も少なくなるので、省エネ性が高く低騒音の冷蔵庫とすることができる。よって、家庭用および業務用など様々な種類および大きさの冷蔵庫に適用することができる。
【符号の説明】
【０１０２】
１  冷蔵庫本体
２  外箱
３  内箱
４  発泡断熱材
５、６  仕切板
７  観音開き式扉
８、９、１０、１１  扉
１２  扉ヒンジ部
１４  冷蔵室
１５  切替室
１６  製氷室
１７  野菜室
１８  冷凍室
１９  冷却室
２０  冷却器
２１  冷却ファン
２２  除霜手段
２３  圧縮機
２４  冷蔵室ダクト
２５  冷凍室ダクト
２６  野菜室ダクト
２７  棚板
２８  パーシャルフリーザ室
２９  チルド室
３１  扉内枠
３１ａ  第一扉内枠
３１ｂ  第二扉内枠
３２  扉外周枠
３２ａ  第一扉外周枠
３２ｂ  第二扉外周枠
３３  透明外装板
３４  扉用発泡断熱材
３５  回転仕切体
３６  表示部
３７  扉スイッチ
３８  マグネット
３９  ホールＩＣ
４０ａ  第一扉補強板
４０ｂ  第二扉補強板
４１ａ  第一開口
４１ｂ  第二開口
４２ａ  第一スイッチ保護カバー
４２ｂ  第二スイッチ保護カバー
４３  係止リブ
４４  ホールＩＣ用開口
４５  蓋板
４６  ヒンジ部材
４６ａ  軸支部
４７  貯蔵室側外郭部材
４７ａ  内壁
４７ｂ  外壁
４８  外気側外郭部材
４８ａ  開口縁部
４９  断熱材
５０  回転仕切体用発泡断熱材
５１  凹状溝部
５２  注入孔
５３  空気抜き孔
５４  緩衝シート
５５  回転仕切体補強板
５６  爪
５７  孔
５８  回転仕切体マグネット
５９  結露防止用ヒータ
６０  筒状部材
６１  テープ
６２  キャップ
６３  補助シール部材
７１  第一扉
７２  第二扉
７１ａ、７２ａ  ガスケット
【図１】
2020169811.tif 000003
【図２】
2020169811.tif 000004
【図３】
2020169811.tif 000005
【図４】
2020169811.tif 000006
【図５】
2020169811.tif 000007
【図６】
2020169811.tif 000008
【図７】
2020169811.tif 000009
【図８】
2020169811.tif 000010
【図９】
2020169811.tif 000011
【図１０】
2020169811.tif 000012
【図１１】
2020169811.tif 000013
【図１２】
2020169811.tif 000014
【図１３】
2020169811.tif 000015
【図１４】
2020169811.tif 000016
【図１５】
2020169811.tif 000017
【図１６】
2020169811.tif 000018
【図１７】
2020169811.tif 000019
【図１８】
2020169811.tif 000020
【手続補正書】
【提出日】令和2年8月18日(2020.8.18)
【手続補正１】
【補正対象書類名】特許請求の範囲
【補正対象項目名】全文
【補正方法】変更
【補正の内容】
【特許請求の範囲】
【請求項１】
冷蔵室と、
前記冷蔵室を開閉する観音開き式の扉と、
前記観音開き式の扉のいずれか一方の端部に設けられた回転仕切体とを備え、
発泡断熱材が前記回転仕切体の内部に充填され、
前記回転仕切体は内部に補強板を有し、
前記回転仕切体は前記発泡断熱材を注入する注入孔と空気抜き孔とが設けられ、
前記補強板は前記注入孔に対向する第１の孔と前記空気抜き孔に対向する第２の孔と、前記第１の孔と前記第２の孔とは別に少なくとも一つの孔とが設けられた冷蔵庫。
【請求項２】
前記回転仕切体は貯蔵室側外郭部材と外気側外郭部材とを備え、
前記注入孔と前記空気抜き孔は前記貯蔵室側外郭部材に設けられ、
前記補強板は前記貯蔵室側外郭部材の内面に設けられた請求項１記載の冷蔵庫。
【請求項３】
前記回転仕切体は前記貯蔵室側外郭部材の内面と前記補強板との間に発泡断熱材を入り込ませた請求項２記載の冷蔵庫。
【請求項４】
前記回転仕切体は前記貯蔵室側外郭部材と前記外気側外郭部材を向い合せ状態に嵌合するとともに、前記貯蔵室側外郭部材と前記外気側外郭部材との嵌合部分のいずれか一方は二重壁とし、前記二重壁間の凹状溝部に他方の部材の端部を嵌合させた請求項２または３記載の冷蔵庫。
【請求項５】
前記回転仕切体はその上下部分をヒンジ部材で扉に枢結するとともに、前記ヒンジ部材の軸支部を介して内部に結露防止用ヒータを配線し、かつ、前記ヒンジ部材の軸支部から前記結露防止用ヒータに至る部分を覆う筒状部材を設けた請求項１〜４のいずれか１項記載の冷蔵庫。
【請求項６】
前記回転仕切体は前記外気側外郭部材の内面にマグネットを設け、前記マグネットをテープ貼りしてマグネット表面を前記テープで覆った請求項２〜５のいずれか１項記載の冷蔵庫。
【請求項７】
前記回転仕切体の回転遊端側と扉の内面との間に柔軟な補助シール部材を設けた請求項１〜６のいずれか１項記載の冷蔵庫。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
本発明は、より高い断熱性を持つ回転仕切体として省エネ性が高い冷蔵庫とすることを目的としたものである。
【手続補正５】
【補正対象書類名】明細書
【補正対象項目名】０００９
【補正方法】変更
【補正の内容】
【０００９】
本発明は、上記目的を達成するため、冷蔵室と、前記冷蔵室を開閉する観音開き式の扉と、前記観音開き式の扉のいずれか一方の端部に設けられた回転仕切体とを備え、発泡断熱材が前記回転仕切体の内部に充填され、前記回転仕切体は内部に補強板を有し、前記回転仕切体は前記発泡断熱材を注入する注入孔と空気抜き孔とが設けられ、前記補強板は前記注入孔に対向する第１の孔と前記空気抜き孔に対向する第２の孔と、前記第１の孔と前記第２の孔とは別に少なくとも一つの孔とが設けられた構成としてある。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
本発明は、上記構成により、省エネ性が高い冷蔵庫とすることができる。